(57)【要約】【課題】無線ＬＡＮにおける最小受信強度の性能を保ちながら、ノイズや隣接チャネルの妨害波などに対するパケット誤検出を大幅に軽減する。【解決手段】デジタル信号に変換された受信信号はローパスフィルタを介してパケット検出部１１に入力される。ＯＦＤＭ変調信号の先頭には、プリアンブルが送られてくる。相互相関計算部１４は受信信号と、プリアンブルとの相互相関信号を算出する。電力計算部１６は受信信号から電力値を算出し、しきい値選択部１７に出力する。しきい値選択部１７は、入力された電力値の大きさに見合った判定用しきい値をパケット検出判定部１８に出力する。パケット検出判定部１８は、相互相関計算部１４が計算した相互相関信号としきい値選択部１７が選択した判定用しきい値とを比較し、相互相関信号が判定用しきい値を超えていれば受信パケット信号が到来したと判断し、パケット検出信号を出力する。【選択図】図３
2009278409.tif 000002
【特許請求の範囲】
【請求項１】
無線通信によってデータの送受信を行う無線通信装置に用いられる通信用半導体集積回路装置であって、
受信パケットが到来したことを検出するパケット検出部を備え、
前記パケット検出部は、
前記受信パケットとプリアンブルパターンとの相互相関信号を算出する相互相関計算部と、
前記受信パケット、またはＲＳＳＩを用いて電力値を算出する電力計算部と、
前記電力計算部が算出した電力値の電力レベルに応じた判定用しきい値を選択して出力するしきい値選択部と、
前記しきい値選択部が選択した判定用しきい値と前記相互相関計算部が算出した相互相関信号とを比較し、前記相互関係信号が判定用しきい値を超えた際に受信パケットが到来したと判定し、パケット検出信号を出力するパケット検出判定部とを備えたことを特徴とする通信用半導体集積回路装置。
【請求項２】
無線通信によってデータの送受信を行う無線通信装置に用いられる通信用半導体集積回路装置であって、
受信パケットが到来したことを検出するパケット検出部を備え、
前記パケット検出部は、
入力される受信パケットの周波数オフセットを補正する周波数オフセット補正部と、
前記受信パケットとプリアンブルパターンとの相互相関信号である第１の相互相関信号、および前記周波数オフセット補正部が補正した受信パケットとプリアンブルパターンとの相互相関信号である第２の相互相関信号をそれぞれ算出する相互相関計算部と、
前記受信パケット、またはＲＳＳＩを用いて電力値を算出する電力計算部と、
前記電力計算部が算出した電力値の電力レベルに応じた判定用しきい値を選択して出力するとともに、補正判定用しきい値を出力するしきい値選択部と、
前記相互相関計算部が算出した第１の相互相関信号と前記しきい値選択部が選択した判定用しきい値とを比較し、前記相互相関計算部が算出した第２の相互信号と前記しきい値選択部から出力された補正判定用しきい値とを比較し、前記第１の相互関係信号が判定用しきい値を超えるとともに、前記第２の相互関係信号が補正判定用しきい値を超えた際に受信パケットが到来したと判定し、パケット検出信号を出力するパケット検出判定部を備えたことを特徴とする通信用半導体集積回路装置。
【請求項３】
請求項２記載の通信用半導体集積回路装置において、
前記パケット検出判定部は、
前記判定用しきい値と前記第１の相互相関信号との比較判定、および前記補正判定用しきい値と前記第２の相互相関信号との比較判定を複数回行うことを特徴とする通信用半導体集積回路装置。
【請求項４】
無線通信によってデータの送受信を行う無線通信装置に用いられる通信用半導体集積回路装置であって、
受信パケットが到来したことを検出するパケット検出部を備え、
前記パケット検出部は、
前記受信パケットと第１の信号プリアンブルパターンとの相互相関信号を算出する第１の相互相関計算部と、
前記受信パケットと第２の信号プリアンブルパターンとの相互相関信号を算出する第２の相互相関計算部と、
受信信号、またはＲＳＳＩを用いて電力値を算出する電力計算部と、
前記電力計算部が算出した電力値の電力レベルに応じた判定用しきい値を選択して出力するしきい値選択部と、
前記しきい値選択部が選択した判定用しきい値と前記第１の相互相関計算部が算出した相互相関信号とを比較、または前記しきい値選択部が選択した判定用しきい値と前記第２の相互相関計算部が算出した相互関係信号とを比較し、前記第１の相互相関計算部が算出した相互相関信号、または前記第２の相互相関計算部が算出した相互関係信号のいずれか１つの前記相互関係信号が判定用しきい値を超えた際に受信パケットが到来したと判定し、前記第１の信号、または前記第２の信号のいずれを受信したかを判定するパケット検出信号を出力するパケット検出判定部とを備えたことを特徴とする通信用半導体集積回路装置。
【請求項５】
請求項１または４記載の通信用半導体集積回路装置において、
前記パケット検出判定部は、
前記判定用しきい値と前記相互相関信号との比較判定を複数回行うことを特徴とする通信用半導体集積回路装置。
【請求項６】
無線通信によってデータの送受信を行う無線通信装置に用いる受信方法であって、
受信パケットが到来したことを検出するパケット検出工程を備え、
前記パケット検出工程は、
前記受信パケットとプリアンブルパターンとの相互相関信号を算出する相互相関計算工程と、
前記受信パケット、またはＲＳＳＩを用いて電力値を算出する電力計算工程と、
前記電力計算工程が算出した電力値の電力レベルに応じた判定用しきい値を選択して出力するしきい値選択工程と、
前記しきい値選択工程にて選択した判定用しきい値と前記相互相関計算工程にて算出した相互相関信号とを比較し、前記相互関係信号が判定用しきい値を超えた際に受信パケットが到来したと判定し、パケット検出信号を出力するパケット検出判定工程とを備えたことを特徴とする受信方法。
【請求項７】
無線通信によってデータの送受信を行う無線通信装置に用いる受信方法であって、
受信パケットが到来したことを検出するパケット検出工程を備え、
前記パケット検出工程は、
入力される受信信号の周波数オフセットを補正する周波数オフセット補正工程と、
前記受信パケットとプリアンブルパターンとの相互相関信号である第１の相互相関信号、および前記周波数オフセット補正工程で補正した受信信号とプリアンブルパターンとの相互相関信号である第２の相互相関信号をそれぞれ算出する相互相関計算工程と、
前記受信パケット、またはＲＳＳＩを用いて電力値を算出する電力計算工程と、
前記電力計算工程で算出した電力値の電力レベルに応じた判定用しきい値を選択して出力するとともに、補正判定用しきい値を出力するしきい値選択工程と、
前記相互相関計算工程で算出した第１の相互相関信号と前記しきい値選択工程で選択した判定用しきい値とを比較し、前記相互相関計算工程で算出した第２の相互相関信号と前記しきい値選択工程から出力された補正判定用しきい値とを比較し、前記第１の相互関係信号が判定用しきい値を超えるとともに、前記第２の相互関係信号が補正判定用しきい値を超えた際に受信パケットが到来したと判定し、パケット検出信号を出力するパケット検出判定工程とを備えたことを特徴とする受信方法。
【発明の詳細な説明】
【技術分野】
【０００１】
本発明は、無線ＬＡＮ（Ｌｏｃａｌ  Ａｒｅａ  Ｎｅｔｗｏｒｋ）装置間における送受信技術に関し、特に、受信パケットの検出に適用して有効な技術に関するものである。
【背景技術】
【０００２】
無線通信システムの１つとして無線ＬＡＮが広く知られており、昨今、パーソナルコンピュータなどの情報処理装置を中心として、普及率が高まっている。
【０００３】
無線通信システムを構成する無線通信装置では、受信待ち時に、他の無線通信装置から受信パケットが到来したかどうかを判断する機能を有しており、そのパケット検出判断としては、以下の述べる４つの技術が知られている。
【０００４】
１）受信信号を復調したり、送信信号を変調したりするＲＦ処理部から出力されるＲＳＳＩ（Ｒｅｃｅｉｖｅｄ  Ｓｉｇｎａｌ  Ｓｔｒｅｎｇｔｈ  Ｉｎｄｉｃａｔｉｏｎ）信号のレベルから、信号強度（電力）に変換し、その信号強度があるしきい値よりも大きいか否かにより受信パケットの到来を判断するもの、２）ＲＦ処理部から出力される受信主信号（Ｉ信号、Ｑ信号）レベルから、電力値を計算し、その電力値からあるしきい値を設けて、受信パケットの到来を判断するもの、３）ＲＦ処理部から出力される受信主信号に含まれるプリアンブルの既知信号との相互相関値を算出し、その相関値からある閾値を設けて、受信パケットの到来を判断するもの、４）ＲＦ処理部から出力される受信主信号に含まれるプリアンブルの自己相関値を算出し、その相関値からある閾値を設けて、受信パケットの到来を判断するものなどがある。また、上記した４つの技術をそれぞれ組み合わせる手法もある。
【０００５】
この種の無線ＬＡＮ装置における受信信号の検出技術としては、たとえば、受信信号の信号レベルが、予め設定したしきい値を超えていると判定され、且つ自己相関関数に予め設定した周期相関ピークが存在すると判定されると、受信信号が復調対象と総合的に判定された後に復調を行うもの（たとえば、特許文献１参照）や、シンボルタイミング検出が終了するまでに、自システムの信号か否かを判別し、復調処理回路の不必要な動作を省略するもの（たとえば、特許文献２参照）などがある。
【特許文献１】特開２００５−１５１１９９号公報
【特許文献２】特開２００５−２９５０８５号公報
【発明の開示】
【発明が解決しようとする課題】
【０００６】
ところが、上記のような無線ＬＡＮ装置における受信パケットの検出技術では、次のような問題点があることが本発明者により見い出された。
【０００７】
すなわち、パケット検出を電力値を用いて検出する技術では、ノイズや隣接チャネルからの妨害波などを電力値に変換してしまう恐れがあり、その場合、パケットの誤検出が発生してしまうという問題がある。
【０００８】
ノイズレベル、隣接チャネルの妨害波レベルが高くなれば、パケット誤検出がより多くなり、これを回避するには、受信パケット検出用のしきい値を高くしなければならない。しかし、パケット検出を判定するしきい値を高くすると、最小受信強度も高くなってしまい、受信性能が悪くなってしまうという問題がある。
【０００９】
また、プリアンブルの相関値を用いたパケット検出方式においても、同様に、隣接チャネルの妨害波などに対するパケット誤検出が問題となる。隣接チャネルの妨害波レベルが高くなれば、パケット誤検出が多くなる。
【００１０】
この場合においても、受信パケット検出用のしきい値を高くすることによってパケットの誤検出の可能性を少なくすることは可能であるが、該しきい値を高くすることによって最小受信強度も高くなり受信性能が劣化してしまうことになる。
【００１１】
本発明の目的は、無線ＬＡＮにおける最小受信強度の性能を保ちながら、ノイズや隣接チャネルの妨害波などに対するパケット誤検出を大幅に軽減することのできる技術を提供することにある。
【００１２】
本発明の前記ならびにそのほかの目的と新規な特徴については、本明細書の記述および添付図面から明らかになるであろう。
【課題を解決するための手段】
【００１３】
本願において開示される発明のうち、代表的なものの概要を簡単に説明すれば、次のとおりである。
【００１４】
本発明は、無線通信によってデータの送受信を行う無線通信装置に用いられる通信用半導体集積回路装置であって、受信パケットが到来したことを検出するパケット検出部を備え、該パケット検出部は、受信パケットとプリアンブルパターンとの相互相関信号を算出する相互相関計算部と、受信パケット、またはＲＳＳＩを用いて電力値を算出する電力計算部と、該電力計算部が算出した電力値の電力レベルに応じた判定用しきい値を選択して出力するしきい値選択部と、該しきい値選択部が選択した判定用しきい値と相互相関計算部が算出した相互相関信号とを比較し、相互関係信号が判定用しきい値を超えた際に受信パケットが到来したと判定し、パケット検出信号を出力するパケット検出判定部とを備えたものである。
【００１５】
また、本発明は、無線通信によってデータの送受信を行う無線通信装置に用いられる通信用半導体集積回路装置であって、受信パケットが到来したことを検出するパケット検出部を備え、該パケット検出部は、入力される受信パケットの周波数オフセットを補正する周波数オフセット補正部と、受信パケットとプリアンブルパターンとの相互相関信号である第１の相互相関信号、および周波数オフセット補正部が補正した受信パケットとプリアンブルパターンとの相互相関信号である第２の相互相関信号をそれぞれ算出する相互相関計算部と、受信パケット、またはＲＳＳＩを用いて電力値を算出する電力計算部と、該電力計算部が算出した電力値の電力レベルに応じた判定用しきい値を選択して出力するとともに、補正判定用しきい値を出力するしきい値選択部と、相互相関計算部が算出した第１の相互相関信号としきい値選択部が選択した判定用しきい値とを比較し、相互相関計算部が算出した第２の相互信号としきい値選択部から出力された補正判定用しきい値とを比較し、第１の相互関係信号が判定用しきい値を超えるとともに、第２の相互関係信号が補正判定用しきい値を超えた際に受信パケットが到来したと判定し、パケット検出信号を出力するパケット検出判定部を備えたものである。
【００１６】
さらに、本発明は、前記パケット検出判定部が、判定用しきい値と第１の相互相関信号との比較判定、および補正判定用しきい値と第２の相互相関信号との比較判定を複数回行うものである。
【００１７】
また、本発明は、無線通信によってデータの送受信を行う無線通信装置に用いられる通信用半導体集積回路装置であって、受信パケットが到来したことを検出するパケット検出部を備え、該パケット検出部は、受信パケットと第１の信号プリアンブルパターンとの相互相関信号を算出する第１の相互相関計算部と、受信パケットと第２の信号プリアンブルパターンとの相互相関信号を算出する第２の相互相関計算部と、受信信号、またはＲＳＳＩを用いて電力値を算出する電力計算部と、該電力計算部が算出した電力値の電力レベルに応じた判定用しきい値を選択して出力するしきい値選択部と、該しきい値選択部が選択した判定用しきい値と第１の相互相関計算部が算出した相互相関信号とを比較、またはしきい値選択部が選択した判定用しきい値と第２の相互相関計算部が算出した相互関係信号とを比較し、第１の相互相関計算部が算出した相互相関信号、または第２の相互相関計算部が算出した相互関係信号のいずれか１つの相互関係信号が判定用しきい値を超えた際に受信パケットが到来したと判定し、第１の信号、または第２の信号のいずれを受信したかを判定するパケット検出信号を出力するパケット検出判定部とを備えたものである。
【００１８】
さらに、本発明は、前記パケット検出判定部が、判定用しきい値と相互相関信号との比較判定を複数回行うものである。
【００１９】
また、本願のその他の発明の概要を簡単に示す。
【００２０】
本発明は、無線通信によってデータの送受信を行う無線通信装置に用いる受信方法であって、受信パケットが到来したことを検出するパケット検出工程を備え、該パケット検出工程は、受信パケットとプリアンブルパターンとの相互相関信号を算出する相互相関計算工程と、受信パケット、またはＲＳＳＩを用いて電力値を算出する電力計算工程と、電力計算工程が算出した電力値の電力レベルに応じた判定用しきい値を選択して出力するしきい値選択工程と、しきい値選択工程にて選択した判定用しきい値と相互相関計算工程にて算出した相互相関信号とを比較し、相互関係信号が判定用しきい値を超えた際に受信パケットが到来したと判定し、パケット検出信号を出力するパケット検出判定工程とを備えたものである。
【００２１】
また、本発明は、無線通信によってデータの送受信を行う無線通信装置に用いる受信方法であって、受信パケットが到来したことを検出するパケット検出工程を備え、該パケット検出工程は、入力される受信信号の周波数オフセットを補正する周波数オフセット補正工程と、受信パケットとプリアンブルパターンとの相互相関信号である第１の相互相関信号、および周波数オフセット補正工程で補正した受信信号とプリアンブルパターンとの相互相関信号である第２の相互相関信号をそれぞれ算出する相互相関計算工程と、受信パケット、またはＲＳＳＩを用いて電力値を算出する電力計算工程と、電力計算工程で算出した電力値の電力レベルに応じた判定用しきい値を選択して出力するとともに、補正判定用しきい値を出力するしきい値選択工程と、相互相関計算工程で算出した第１の相互相関信号としきい値選択工程で選択した判定用しきい値とを比較し、相互相関計算工程で算出した第２の相互相関信号としきい値選択工程から出力された補正判定用しきい値とを比較し、第１の相互関係信号が判定用しきい値を超えるとともに、第２の相互関係信号が補正判定用しきい値を超えた際に受信パケットが到来したと判定し、パケット検出信号を出力するパケット検出判定工程とを備えたものである。
【発明の効果】
【００２２】
本願において開示される発明のうち、代表的なものによって得られる効果を簡単に説明すれば以下のとおりである。
【００２３】
（１）受信パケットの検出を高精度に行い、パケット誤検出を大幅に低減することができる。
【００２４】
（２）また、受信性能である最小受信強度の向上、および隣接チャネル妨害波除去性能を向上させることができる。
【発明を実施するための最良の形態】
【００２５】
以下、本発明の実施の形態を図面に基づいて詳細に説明する。なお、実施の形態を説明するための全図において、同一の部材には原則として同一の符号を付し、その繰り返しの説明は省略する。
【００２６】
（実施の形態１）
図１は、本発明の実施の形態１による無線ＬＡＮ装置のブロック図、図２は、図１の無線ＬＡＮ装置に設けられた変調／復調部の構成例を示すブロック図、図３は、図２の復調／変調部に設けられたパケット検出部の構成例を示すブロック図、図４は、図３のパケット検出部に設けられたしきい値選択部の構成例を示すブロック図である。
【００２７】
本実施の形態１において、無線ＬＡＮ装置１は、電波による伝送路を利用した無線通信システムである。無線ＬＡＮ装置１は、図１に示すように、ＲＦ処理部２、ベースバンド部３、およびメディアアクセスコントローラ（ＭＡＣ）４から構成されている。
【００２８】
ＲＦ処理部２は、他の無線ＬＡＮ装置から出力された受信信号を復調したり、他の無線ＬＡＮ装置へ出力する送信信号を変調したりする。ベースバンド部３は、ＲＦ処理部２によって周波数変換された信号をデジタル信号に変換し、そのデジタル信号のレベルコントロールを行う。
【００２９】
メディアアクセスコントローラ４は、たとえば、上位層となるパーソナルコンピュータなどの情報処理装置に接続され、該パーソナルコンピュータとのインタフェースや無線ＬＡＮ規格であるＩＥＥＥ８０２．１１ａ／ｂ／ｇ規格準拠のプロトコルなどのデータ処理などを行う。
【００３０】
ベースバンド部３は、オートゲインコントローラ５、ＲＦインタフェース６、変調／復調部７、レジスタ８、ならびにＭＡＣインタフェース９から構成されている。このベースバンド部３は、たとえば、１チップの半導体集積回路装置によって構成されている。同様に、ＲＦ処理部２も１チップの半導体集積回路装置によって構成されている。
【００３１】
また、ここでは、ＲＦ処理部２とベースバンド部３とがそれぞれ異なる半導体チップの半導体集積回路装置によって構成されているものとしたが、たとえばＲＦ処理部２とベースバンド部３とを１つの半導体チップによって構成した半導体集積回路装置としてもよい。
【００３２】
オートゲインコントローラ５は、受信側Ｉ、Ｑベースバンド信号のレベルを調整する。ＲＦインタフェース６は、ＲＦ処理部２とのインタフェースとして機能する。変調／復調部７は、送信信号をある周波数に変調、または受信信号をある周波数に復調する。
【００３３】
レジスタ８は、オートゲインコントローラ５、ＲＦインタフェース６、変調／復調部７、およびＭＡＣインタフェース９などを制御するデータが格納されている。ＭＡＣインタフェース９は、メディアアクセスコントローラ４とのインタフェースとなる。
【００３４】
無線ＬＡＮ装置１の無線通信の受信動作時は、電波をアンテナで受信し、ＲＦ処理部２によってベースバンド信号にダウンコンバートされる。そして、受信信号は、ＲＦインタフェース６によってデジタル信号に変換され、変調／復調部７によってＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調される。
【００３５】
復調された信号は、ＭＡＣインタフェース９を介してメディアアクセスコントローラ４へ出力され、パケット処理される。
【００３６】
また、無線通信の送信動作時は、メディアアクセスコントローラ４で作成された送信パケット信号が、ＭＡＣインタフェース９を介して変調／復調部７へ入力される。そして、変調／復調部７によりＯＦＤＭ変調された送信信号は、ＲＦインタフェース６によってデジタル信号からアナログ信号へ変換され、ＲＦ処理部２によってアップコンバートされて、アンテナから送信される。
【００３７】
図２は、変調／復調部７の構成例を示すブロック図である。
【００３８】
変調／復調部７は、図示するように、ローパスフィルタ１０、パケット検出部１１、復調部１２、ならびに変調部１３から構成されている。
【００３９】
ローパスフィルタ１０は、ＲＦ処理部２を介して出力された受信信号の妨害信号などを除去する。パケット検出部１１は、受信パケットが到来したことを検出する。復調部１２は、受信信号をＯＦＤＭ復調し、変調部１３は、送信信号をＯＦＤＭ変調する。
【００４０】
図３は、パケット検出部１１の構成例を示すブロック図である。
【００４１】
パケット検出部１１は、図示するように、相互相関計算部１４、プリアンブル格納部１５、電力計算部１６、しきい値選択部１７、ならびにパケット検出判定部１８から構成されている。
【００４２】
相互相関計算部１４は、ＲＦ処理部２を介して入力される受信信号（Ｉ信号、Ｑ信号）とプリアンブル格納部１５のプリアンブルパターンの既知値との相互相関信号を算出する。プリアンブルパターンは、デジタル信号をシリアル伝送する場合に、データの始まりに付加する区切り用の特殊ビット列である。
【００４３】
プリアンブル格納部１５は、プリアンブルパターンを格納するメモリなどからなる。電力計算部１６は、受信信号（Ｉ信号、Ｑ信号）から電力を算出、またはＲＦ処理部２から出力されるＲＳＳＩから電力値を算出、またはそれら２つを用いて電力値を算出する。
【００４４】
しきい値選択部１７は、電力計算部１６が算出した電力値に基づいて、最適となる判定用しきい値を選択し、パケット検出判定部１８に出力する。パケット検出判定部１８は、相互相関計算部１４が算出した相互相関信号としきい値選択部１７が選択した判定用しきい値とを比較し、相互相関信号が判定用しきい値よりも大きい場合にパケットが到来したと判断してパケット検出信号を復調部１２に出力する。
【００４５】
図４は、しきい値選択部１７の構成例を示すブロック図である。
【００４６】
しきい値選択部１７は、レジスタ１９〜２１、および選択制御部２２から構成されている。レジスタ１９には、任意の異なる判定用しきい値がそれぞれ格納されている。選択制御部２２は、電力計算部１６が算出した電力値に基づいて、レジスタ１９〜２１のいずれかに格納されている判定用を読み出し、パケット検出判定部１８に出力する。
【００４７】
選択制御部２２は、第１、および第２の電力しきい値を有しており、第１の電力しきい値は、第２の電力しきい値よりも低い値となっている。
【００４８】
選択制御部２２は、電力計算部１６が算出した電力値が第１の電力しきい値よりも低い場合には、レジスタ１９に格納されている判定用しきい値を読み出して出力し、電力計算部１６が算出した電力値が、第１の電力しきい値以上であり、第２の電力しきい値よりも低い場合には、レジスタ２０に格納されている判定用しきい値を読み出して出力する。
【００４９】
また、電力計算部１６が算出した電力値が、第２の電力しきい値以上の場合には、レジスタ２１に格納されている判定用しきい値を読み出して出力する。
【００５０】
これらレジスタ１９〜２１に格納されている判定用しきい値は、レジスタ１９に格納されている判定用しきい値が最も小さく、レジスタ２１に格納されている判定用しきい値が最も大きい値となっている。
【００５１】
次に、本実施の形態におけるパケット検出部１１の動作について説明する。
【００５２】
ＲＦインタフェース６によってデジタル信号に変換された受信信号は、ローパスフィルタ１０を通過し、パケット検出部１１に入力される。ＯＦＤＭ変調信号の先頭には、プリアンブルパターンと呼ばれる既知信号が送られてくる。
【００５３】
パケット検出部１１において、相互相関計算部１４は、入力される受信信号（Ｉ信号、Ｑ信号）と、プリアンブル格納部１５からのプリアンブルパターンの既知値との相互相関信号を算出する。
【００５４】
また、電力計算部１６は、入力される受信信号（Ｉ信号、Ｑ信号）、またはＲＦ処理部２から出力されるＲＳＳＩ信号の少なくともいずれか一方から電力値を算出し、しきい値選択部１７に出力する。
【００５５】
しきい値選択部１７において、選択制御部２２は、入力された電力値と第１、または第２の電力しきい値との比較を行い、該電力値の大きさに見合った判定用しきい値をレジスタ１９〜２１のいずれかから読み出し、パケット検出判定部１８に出力する。
【００５６】
パケット検出判定部１８は、相互相関計算部１４が計算した相互相関信号としきい値選択部１７が選択した判定用しきい値とを比較し、相互相関信号が判定用しきい値を超えていれば受信パケット信号が到来したと判断し、パケット検出信号を出力してＯＦＤＭ復調が開始される。
【００５７】
それにより、本実施の形態１によれば、受信パケットの到来の判断基準となる判定用しきい値が受信信号のレベルに応じて適応的に可変するとともに、相互相関値をパケット検出に用いることにより、ノイズや隣接チャネルの妨害波などによるパケット誤検出の割合を軽減することができる。
【００５８】
また、受信性能である最小受信強度の向上、および隣接チャネル妨害波除去性能を向上させることができる。
【００５９】
さらに、本実施の形態１では、相互相関計算部１４が計算した相互相関信号としきい値選択部１７が選択した判定用しきい値との比較を１回行う場合について記載したが、これら相互相関信号と判定用しきい値との比較は、２回以上の複数回を行うことにより、パケット到来の判定を行うようにしてもよい。
【００６０】
これにより、受信パケットの検出をより高精度に行うことが可能となる。
【００６１】
（実施の形態２）
図５は、本発明の実施の形態２によるパケット検出部の構成例を示すブロック図、図６は、図５のパケット検出部に設けられたしきい値選択部の構成例を示すブロック図である。
【００６２】
本実施の形態２において、無線ＬＡＮ装置１（図１）は、前記実施の形態１と同様に、ＲＦ処理部２、ベースバンド部３、およびメディアアクセスコントローラ４からなり、変調／復調部７（図２）の構成も、前記実施の形態１と同様に、ローパスフィルタ１０、パケット検出部１１、復調部１２、ならびに変調部１３から構成されている。
【００６３】
また、パケット検出部１１は、図５に示すように、相互相関計算部１４、プリアンブル格納部１５、電力計算部１６、しきい値選択部１７、ならびにパケット検出判定部１８からなる前記実施の形態１と同様の構成に、周波数オフセット補正部２３が新たに設けられた構成となっている。
【００６４】
この周波数オフセット補正部２３は、ＲＦ処理部２を介して入力される受信信号（Ｉ信号、Ｑ信号）の周波数オフセットを補正する。
【００６５】
相互相関計算部１４は、入力される受信信号（Ｉ信号、Ｑ信号）とプリアンブル格納部１５のプリアンブルパターンの既知値との相互相関信号を算出するとともに、周波数オフセット補正部２３が周波数オフセットを補正した受信信号（Ｉ信号、Ｑ信号）とプリアンブルパターンの既知値との相互相関信号を算出する。
【００６６】
この場合、入力される受信信号（Ｉ信号、Ｑ信号）とプリアンブル格納部１５のプリアンブルパターンの既知値との相互相関信号が第１の相互相関信号となり、周波数オフセット補正部２３が周波数オフセットを補正した受信信号（Ｉ信号、Ｑ信号）とプリアンブルパターンの既知値との相互相関信号が第２の相互相関信号となる。
【００６７】
しきい値選択部１７は、図６に示すように、レジスタ１９〜２１、および選択制御部２２からなる前記実施の形態１の図４の構成に、レジスタ２４が新たに追加された構成からなる。
【００６８】
このレジスタ２４には、周波数オフセット補正部２３が周波数オフセットを補正した受信信号（Ｉ信号、Ｑ信号）プリアンブルパターンの既知値との相互相関信号との比較を行う判定用補正しきい値が格納されている。
【００６９】
相互相関計算部１４は、入力される受信信号（Ｉ信号、Ｑ信号）と、プリアンブル格納部１５からのプリアンブルパターンの既知値との相互相関信号を算出する。そして、相互相関計算部１４は、周波数オフセット補正部２３が補正した受信信号（Ｉ信号、Ｑ信号）とプリアンブルパターンの既知値との相互相関信号を算出する。
【００７０】
しきい値選択部１７において、選択制御部２２は、電力計算部１６が算出した電力値と第１、または第２の電力しきい値との比較を行い、該電力値の電力値の大きさに見合った判定用しきい値をレジスタ１９〜２１のいずれかから読み出し、パケット検出判定部１８に出力する。
【００７１】
続いて、選択制御部２２は、レジスタ２４から判定用補正しきい値を読み出してパケット検出判定部１８に出力する。
【００７２】
パケット検出判定部１８は、相互相関計算部１４が計算した相互相関信号としきい値選択部１７が選択した判定用しきい値とを比較した後、相互相関計算部１４が計算した周波数オフセットが補正された受信信号から算出した相互相関信号と判定用補正しきい値とを比較し、いずれの相互相関信号もしきい値をそれぞれ超えていれば、受信パケット信号が到来したと判断し、パケット検出信号を出力してＯＦＤＭ復調を開始する。
【００７３】
それにより、本実施の形態２では、周波数オフセット補正後のプリアンブルパターンの既知値に対する相互相関信号もパケット検出判定に加えることにより、より一層ノイズや、隣接チャネルの妨害波などによるパケット誤検出の割合を軽減することができ、また、受信性能である最小受信強度の向上、および隣接チャネル妨害波除去性能を向上させることができる。
【００７４】
さらに、本実施の形態２においても、相互相関信号と判定用しきい値との比較、および周波数オフセット補正後のプリアンブルパターンの既知値に対する相互相関信号の判定を２回以上の複数回を行うことにより、パケット誤検出をより大幅に低減させることができる。
【００７５】
（実施の形態３）
図７は、本発明の実施の形態３によるパケット検出部の構成例を示すブロック図、図８は、本発明の実施の形態３による変調／復調部の構成例を示すブロック図である。
【００７６】
本実施の形態３において、無線ＬＡＮ装置１（図１）は、前記実施の形態１，２と同様に、ＲＦ処理部２、ベースバンド部３、およびメディアアクセスコントローラ４からなり、変調／復調部７の構成は、図８に示すように、ローパスフィルタ１０、パケット検出部１１、復調部１２、ならびに変調部１３からなる前記実施の形態１と同様の構成に、復調部１２ａ、ならびに変調部１３ａが新たに設けられた構成とされている。
【００７７】
また、パケット検出部１１は、図７に示すように、第１の相互相関計算部となる相互相関計算部１４、プリアンブル格納部１５、電力計算部１６、しきい値選択部１７、ならびにパケット検出判定部１８からなる前記実施の形態１と同様の構成に、第２の相互相関計算部となる相互相関計算部１４ａとプリアンブル格納部１５ａが新たに設けられた構成となっている。
【００７８】
たとえば、プリアンブル格納部１５には、図９にパケットフォーマットを示すように無線ＬＡＮ規格であるＩＥＥＥ８０２．１１ａ／ｇ規格のプリアンブル１を格納し、相互相関計算部１４は、受信信号とプリアンブル１の既知値との相互相関信号を算出する。プリアンブル格納部１５ａには、図１０にパケットフォーマットを示すように無線ＬＡＮ規格であるＩＥＥＥ８０２．１１ｂ規格のプリアンブル２を格納し、相互相関計算部１４ａは、受信信号とプリアンブル２の既知値との相互相関信号を算出する。
【００７９】
よって、受信信号がＩＥＥＥ８０２．１１ａ／ｇ規格準拠のプロトコルの場合には、相互相関計算部１４によって相互相関信号が算出されてパケット検出判定部１８に出力され、パケット検出判定部１８は、判定用しきい値と相互相関信号とを比較し、相互相関信号が判定用しきい値を超えていれば、第１の信号のパケットが到来したと判断し、復調部１２にパケット検出信号を出力する。また、受信信号がＩＥＥＥ８０２．１１ｂ規格準拠のプロトコルの場合には、相互相関計算部１４ａによって相互相関信号が算出されてパケット検出判定部１８に出力され、パケット検出判定部１８は、判定用しきい値と相互相関信号とを比較し、相互相関信号が判定用しきい値を超えていれば、第２の信号のパケットが到来したと判断し、復調部１２ａにパケット検出信号を出力する。
【００８０】
その他のパケット検出部１１の動作については、前記実施の形態１と同様であるので、説明は省略する。
【００８１】
それにより、本実施の形態３においては、無線ＬＡＮ装置１がＩＥＥＥ８０２．１１ａ／ｇ規格準拠のプロトコルの受信信号とＩＥＥＥ８０２．１１ｂ規格準拠のプロトコルの受信信号との異なる受信信号に対応することができる。
【００８２】
また、前記実施の形態１と同様に、ノイズや隣接チャネルの妨害波などによるパケット誤検出の割合を軽減することができ、受信性能である最小受信強度の向上、および隣接チャネル妨害波除去性能を向上させることができる。
【００８３】
さらに、本実施の形態３においても、これら相互相関信号と判定用しきい値との比較を２回以上の複数回を行うことにより、パケット到来の判定を行うようにしてもよい。これにより、受信パケットの検出をより高精度に行うことが可能となる。
【００８４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００８５】
たとえば、前記実施の形態１〜３では、しきい値選択部１７に３つの電力値に応じた判定用しきい値が格納される構成としたが、４つ以上の判定用しきい値をしきい値選択部１７に格納し、より細かい電力値のレベルに応じて任意の判定用しきい値を選択する構成としてもよい。
【００８６】
これにより、受信信号のレベルに応じて判定用しきい値をより細分化して適用することが可能となり、より高精度にパケット検出を行うことが可能となる。
【産業上の利用可能性】
【００８７】
本発明は、無線ＬＡＮ装置における受信パケットの誤検出を低減する技術に適している。
【図面の簡単な説明】
【００８８】
【図１】本発明の実施の形態１による無線ＬＡＮ装置のブロック図である。
【図２】図１の無線ＬＡＮ装置に設けられた変調／復調部の構成例を示すブロック図である。
【図３】図２の復調／変調部に設けられたパケット検出部の構成例を示すブロック図である。
【図４】図３のパケット検出部に設けられたしきい値選択部の構成例を示すブロック図である。
【図５】本発明の実施の形態２によるパケット検出部の構成例を示すブロック図である。
【図６】図５のパケット検出部に設けられたしきい値選択部の構成例を示すブロック図である。
【図７】本発明の実施の形態３によるパケット検出部の構成例を示すブロック図である。
【図８】本発明の実施の形態３による無線ＬＡＮ装置に設けられた変調／復調部の構成例を示すブロック図である。
【図９】ＩＥＥＥ８０２．１１ａ／ｇ規格のパケット信号の一例を示す図である。
【図１０】ＩＥＥＥ８０２．１１ｂ規格のパケット信号の一例を示す図である。
【符号の説明】
【００８９】
１  無線ＬＡＮ装置
２  ＲＦ処理部
３  ベースバンド部
４  メディアアクセスコントローラ
５  オートゲインコントローラ
６  ＲＦインタフェース
７  変調／復調部
８  レジスタ
９  ＭＡＣインタフェース
１０  ローパスフィルタ
１１  パケット検出部
１２  復調部
１２ａ  第２の信号復調部
１３  変調部
１３ａ  第２の信号変調部
１４  相互相関計算部
１４ａ  相互相関計算部
１５  プリアンブル格納部
１５ａ  第２のプリアンブル格納部
１６  電力計算部
１７  しきい値選択部
１８  パケット検出判定部
１９〜２１  レジスタ
２２  選択制御部
２３  周波数オフセット補正部
２４  レジスタ
【図１】
2009278409.tif 000003
【図２】
2009278409.tif 000004
【図３】
2009278409.tif 000005
【図４】
2009278409.tif 000006
【図５】
2009278409.tif 000007
【図６】
2009278409.tif 000008
【図７】
2009278409.tif 000009
【図８】
2009278409.tif 000010
【図９】
2009278409.tif 000011
【図１０】
2009278409.tif 000012